(57)【要約】【課題】部品点数を増やさず、カメラ保持状態によらない快適な操作性を保つことのできる光学機器を提供すること。【解決手段】光学系を保持するレンズ鏡筒とレンズ鏡筒の外周部に周方向に沿って設けられたタッチパネルとタッチパネル上には表示部が表示され前記表示部の表示位置をタッチパネル上で変更可能とする表示位置変更手段を持つことを特徴とする。【選択図】図１
2018194758.tif 000002
【特許請求の範囲】
【請求項１】
光学系を保持するレンズ鏡筒と、
レンズ鏡筒の外周部に周方向に沿って設けられたタッチパネルと、
タッチパネル上には表示部が表示され前記表示部の表示位置をタッチパネル上で変更可能とする表示位置変更手段を持つことを特徴とする光学機器。
【請求項２】
光学系を保持するレンズ鏡筒と、
レンズ鏡筒の外周部に周方向に沿って設けられたタッチパネルと、
カメラの姿勢を判別する姿勢判別部を持ち、
タッチパネル上には表示部が表示され、
姿勢変更時には前記表示部の表示位置が変更されることを特徴とする光学機器。
【請求項３】
表示部とは、焦点距離や被写体距離といったレンズ情報表示部と、オートフォーカスとマニュアルフォーカス切り替えスイッチ、手ぶれ補正機能ＯＮ／ＯＦＦ切り替えスイッチ、ズーム操作部やフォーカス操作部、絞り操作部を含むレンズ操作表示部で有ることを特徴とする請求項１又は請求項２に記載の光学機器。
【請求項４】
レンズ情報表示部を操作することで表示部の表示位置を変更することができることを特徴とする請求項３に記載の光学機器。
【発明の詳細な説明】
【技術分野】
【０００１】
本発明は、タッチパネルを備えた光学機器に関する。
【背景技術】
【０００２】
従来の交換レンズは、オートフォーカス（ＡＦ）とマニュアルフォーカス（ＭＦ）の切り替えスイッチ、手ぶれ補正機構のＯＮ／ＯＦＦ切り替えスイッチ等のスイッチ類、距離表示等の表示位置を変えることができなかった。そのため、縦位置撮影時には持ち手の位置がスイッチ類や表示部と重なり操作性が損なわれることがあった。そのため、カメラの保持状態にかかわらず、操作しやすい操作部を備えるレンズの提案がされている。
【０００３】
特許文献１には、レンズの周方向に沿って接触を検知するセンサがあり、センサ外面をスライド可能かつ一部を露出するように覆うカバー部材を備えるといったことが開示されている。姿勢変更時にはカバー部材をスライドさせ、センサの露出位置を操作しやすい場所に変更することでカメラの保持状態にかかわらず、操作しやすい構成としている。
【先行技術文献】
【特許文献】
【０００４】
【特許文献１】特開２０１０−２０２５０号公報
【発明の概要】
【発明が解決しようとする課題】
【０００５】
しかしながら、上述の特許文献１に開示された従来技術では、カバー部材が必要なため部品点数が増えてしまう。また、距離表示等の表示部には触れておらず姿勢変更時に表示部が見えなくなり操作性が損なわれることは解決されていない。
【０００６】
そこで、本発明の目的は、部品点数を増やさず、カメラ保持状態によらない快適な操作性を保つことのできる光学機器を提供することにある。
【課題を解決するための手段】
【０００７】
上記の目的を達成するために、本発明に係る光学機器は、
光学系を保持するレンズ鏡筒とレンズ鏡筒の外周部に周方向に沿って設けられたタッチパネルとタッチパネル上には表示部が表示され前記表示部の表示位置をタッチパネル上で変更可能とする表示位置変更手段を持つことを特徴とする。
【発明の効果】
【０００８】
本発明によれば、部品点数を増やさず、カメラ保持状態によらない快適な操作性を保つことのできる光学機器を提供することができる。
【図面の簡単な説明】
【０００９】
【図１】実施例１における表示位置変更手段の一例を示す図
【図２】光学機器を示す斜視図
【図３】実施例１における光学機器のシステムブロック図
【図４】タッチパネル上の表示部を示すタッチパネルの展開図
【図５】実施例１における表示部の表示位置変更の流れを示すフローチャート
【図６】実施例２における光学機器のシステムブロック図
【図７】実施例２における表示部の表示位置変更の流れを示すフローチャート
【図８】実施例２における表示位置変更手段の一例を示す図
【発明を実施するための形態】
【００１０】
以下に、本発明の好ましい実施の形態を、添付の図面に基づいて詳細に説明する。図１は、本発明の実施形態にかかわる光学機器の斜視図である。
【実施例１】
【００１１】
図２を用いて本実施例の光学機器であるところのレンズ１００を示す。１はレンズ鏡筒で、外周部に周方向に沿った円筒形のタッチパネル２が配置されている。図３は、本実施例の光学機器であるところのレンズ１００とカメラ本体６のカメラシステムの構成を示す。
【００１２】
６１はマイクロコンピュータにより構成されるカメラＣＰＵである。カメラＣＰＵ６１は、カメラ本体６内の各部の動作を制御する。また、カメラＣＰＵ６１は、レンズ１００の装着時には電気接点１０２、６２を介して、レンズ１００内に設けられたレンズＣＰＵ１０１との通信を行う。カメラＣＰＵ６１がレンズＣＰＵ１０１に送信する情報（信号）には、フォーカスレンズの駆動量情報、平行振れ情報およびピント振れ情報が含まれる。
【００１３】
また、レンズＣＰＵ１０１からカメラＣＰＵ６１に送信する情報（信号）には、撮像倍率情報が含まれる。なお、電気接点１０２、６２にはカメラ本体６からレンズ１００に電源を供給するための接点が含まれている。
【００１４】
６３は撮影者により操作可能な電源スイッチであり、カメラＣＰＵ６１を起動したりカメラシステム内の各アクチュエータやセンサ等への電源供給を開始したりするためのスイッチである。
【００１５】
６４は撮影者により操作可能なレリーズスイッチであり、第１ストロークスイッチＳＷ１と第２ストロークスイッチＳＷ２とを有する。レリーズスイッチ６４からの信号は、カメラＣＰＵ６１に入力される。カメラＣＰＵ６１は、第１ストロークスイッチＳＷ１からのＯＮ信号の入力に応じて、撮影準備状態に入る。撮影準備状態では、測光部６５による被写体輝度の測定と、焦点検出部６６によって焦点検出を行わせる。カメラＣＰＵ６１は、測光結果に基づいて絞りユニット１０６の絞り値や撮像素子の露光量（シャッタ秒時）等を演算する。
【００１６】
また、カメラＣＰＵ６１は、焦点検出部６６による撮影光学系の焦点状態の検出結果である焦点情報（デフォーカス量およびデフォーカス方向）に基づいて、被写体に対する合焦状態を得るためのフォーカス駆動部１１２の駆動量（駆動方向を含む）を決定する。上記駆動量の情報（フォーカスレンズ駆動量情報）は、レンズＣＰＵ１０１に送信される。
【００１７】
レンズＣＰＵ１０１は、レンズ１００の各構成部の動作を制御する。第２ストロークスイッチ（ＳＷ２）からのＯＮ信号が入力されると、カメラＣＰＵ６１は、レンズＣＰＵ１０１に対して絞り駆動命令を送信し、絞りユニット１０６を先に演算した絞り値に設定させる。また、カメラＣＰＵ６１は、露光部６７に露光開始命令を送信し、不図示のミラーの退避動作や不図示のシャッタの開放動作を行わせ、撮像素子を含む撮像部６８にて、被写体像の光電変換、すなわち露光動作を行わせる。撮像部６８からの撮像信号は、カメラＣＰＵ６１内の信号処理部にてデジタル変換され、さらに各種補正処理が施されて画像信号として出力される。画像信号（データ）は、画像記録部６９において、フラッシュメモリ等の半導体メモリ、磁気ディスク、光ディスク等の記録媒体に記録保存される。
【００１８】
２はタッチパネルであり、焦点距離等のレンズ情報表示部４、ＡＦ／ＭＦ切り替えスイッチ等のスイッチ類、ズームやフォーカス等のレンズ操作表示部３を表示し、撮影者の指の接触（タッチ）および接触部の移動（スライド）を検出する。
【００１９】
１０５はズームレンズ群であり、複数のレンズ群で構成されており、光軸方向に移動することで焦点距離の変更を行っている。１０９はズーム駆動部であり、ズーム駆動部１０９はズームモータを有しており、撮影者のタッチパネル２への操作を受けたレンズＣＰＵ１０１からの駆動命令を受けて、ズーム鏡筒の駆動を行いレンズ１００の焦点距離の変更を行う。
【００２０】
１０６は絞りユニットであり、絞り羽根を駆動し光量を調節する。１１０は絞り駆動部であり、絞りモータを有しており、カメラＣＰＵ６１からの絞り駆動命令および撮影者のタッチパネル２への操作を受けたレンズＣＰＵ１０１により制御されて、絞りユニット１０６を指定された絞り値に相当する開口状態に動作させる。
【００２１】
１０７は手ぶれ補正ユニットであり、光軸に対して垂直な面上で補正レンズを移動することで、いわゆる手ぶれを補正する光学防振機能を果たす。１１１は手ぶれ補正ユニット駆動部であり、手ぶれ補正ユニット１０７の駆動アクチュエータとその駆動回路とを含む。手ぶれ補正機能をＯＮにするとカメラＣＰＵ６１からの駆動命令により手ぶれ補正ユニット１０７の補正レンズのシフト駆動、つまりは手ぶれ補正動作の制御を開始する。
【００２２】
１０８はフォーカスレンズ群であり、少なくとも１枚以上のレンズで構成されており、光軸方向に移動することで合焦を行う。１１２はフォーカス駆動部であり、フォーカスモータを有している。カメラＣＰＵ６１から送信されたフォーカスレンズ駆動量情報または撮影者のタッチパネル２への操作を受けたレンズＣＰＵ１０１により制御されて、フォーカスモータを駆動しフォーカスレンズ群１０８の合焦動作を行う。
【００２３】
１１３はレンズ１００に搭載され、プリント基板に接続された角速度センサである。角速度センサ１１３は、カメラシステムの角度振れである縦（ピッチ方向）振れと横（ヨー方向）振れのそれぞれの角速度を示す角速度信号をレンズＣＰＵ１０１に出力する。レンズＣＰＵ１０１は、角速度センサ１１３からのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。そしてレンズＣＰＵ１０１は、上述した角度振れ量と平行振れ量の合成変位量に基づいて手ぶれ補正ユニット駆動部１１１を制御して手ぶれ補正ユニットをシフト駆動させ、角度振れ補正および平行振れ補正を行う。
【００２４】
次に本実施例におけるタッチパネル２について説明する。図４はタッチパネルの表示部の例を示す展開図である。
【００２５】
３はレンズ操作表示部であり、ズーム操作部３ａ、フォーカス操作部３ｂ、絞り操作部３ｃ、ＡＦ／ＭＦ切り替えスイッチ３ｄ、手ぶれ補正機能のＯＮ／ＯＦＦ切り替えスイッチ３ｅといったスイッチの表示部である。
【００２６】
ズーム操作部３ａ、フォーカス操作部３ｂ、絞り操作部３ｃは周方向に延びて表示されており、周方向に指をスライドさせることにより各操作部は駆動される。図３に示すようにズーム操作部３ａにはＷＩＤＥ、ＴＥＬＥを示す“Ｗ”、“Ｔ”の表示がされており、“Ｗ”の方向に指をスライドさせると広角側に、“Ｔ”の方向に指をスライドさせると望遠側にズーム鏡筒は駆動される。
【００２７】
フォーカス操作部には被写体距離を表す“∞”と“０．７ｍ”が表示されており、“∞”の方向に指をスライドさせると∞側に、“０．７ｍ”の方向に指をスライドさせると至近側にフォーカス群は駆動される。（至近を表す表示“０．７ｍ”はレンズにより異なる）。
【００２８】
絞り操作部には開放Ｆｎｏ．と小絞りＦｎｏ．を表す数字が表示されておりＦ４の方向に指をスライドさせると開放側に、Ｆ３２の方向に指をスライドさせると小絞り側に絞りは駆動される（表示される数字はレンズにより異なる）。
【００２９】
本実施例ではレンズ操作表示部３上を指でスライドさせてレンズ操作する方法を示したが、レンズ操作表示部３をタッチすることでレンズ操作を行うようにしても良い。例えば、“Ｗ”をタッチすると広角側に、“Ｔ”をタッチすると望遠側にズームレンズ群１０５を駆動させるようにしても良い。また、本実施例では前記３種類の操作部について説明したが、シャッタースピードやＩＳＯ感度の操作部であっても良く、３種類に限らず、４種類、５種類の操作部があっても良い。
【００３０】
本実施例では操作部は周方向に延びる円弧形状としたがリング形状や光軸方向に延びる形状であっても良く特に限定されない。
【００３１】
レンズ操作表示部３には手ぶれ補正機能のＯＮ／ＯＦＦ切り替えスイッチとＡＦ／ＭＦ切り替えスイッチ等のスイッチ部もあり手ぶれ補正機能の状態、フォーカスの状態が表示されている（図４では手ぶれ補正機能はＯＮ、フォーカスはＭＦ）。表示部をタッチすることで状態を切り替えることができる。例えば図４の状態から手ぶれ補正機能ＯＮ／ＯＦＦ切り替えスイッチをタッチすると手ぶれ補正機能はＯＦＦとなり、表示部の表示も“ＩＳ  ＯＦＦ”に変更される。前記のスイッチ部以外にも絞り優先モード“ＡＶ”とシャッタースピード優先モード“ＴＶ”等の撮影モード切り替えスイッチがあっても良い。
【００３２】
４はレンズ情報表示部であり、焦点距離、被写体距離、絞り値等ズーム操作部３を操作することにより変更されるレンズ状態の情報を表示している。レンズ情報表示部４を操作することで表示部の表示位置を変更することができる
次に図１と図５を用いて表示部の表示位置変更方法を説明する。
【００３３】
カメラ６の電源スイッチ６３を押し、カメラを起動させるとタッチパネル２上にレンズ情報表示部３およびレンズ操作表示部４があらかじめ設定されたデフォルト位置に表示される（ステップＳ１）。
【００３４】
次にレンズ情報表示部４がタッチされたかどうかを検出する（ステップＳ２）。レンズ情報表示部４のタッチが検出されなかった場合（ステップＳ２でＮｏの場合）表示部の表示位置は変更されない。
【００３５】
レンズ情報表示部４のタッチが検出された場合（ステップＳ２がＹｅｓの場合）表示部の表示位置変更モードとなり、レンズ情報表示部４がスライドされたかどうかを検出する（ステップＳ３）。レンズ情報表示部４がスライドされたことを検出した場合（ステップＳ３でＹｅｓの場合）レンズ情報表示部４およびレンズ操作表示部３はスライド量とスライド方向にしたがって表示位置を変更する（ステップＳ４）。図１（ａ）に示すようにレンズ情報表示部を円周方向にスライドさせた時、表示位置変更部１１４はレンズ情報表示部４とレンズ操作表示部３を含む表示部全体を検出されたスライド量と方向へ移動させる制御を行う。
【００３６】
レンズ情報表示部４のスライドを検出できなかった場合（ステップＳ３でＮｏの場合）レンズ情報表示部４のタッチ状態が維持されているかを検出する（ステップＳ１１）。レンズ情報表示部４のタッチ状態が維持されている場合は（ステップＳ１１でＹｅｓの場合）レンズ操作表示部がスライドされたかどうかを検出する（ステップＳ１２）。レンズ操作表示部３のスライドが検出されなかった場合（ステップＳ１２でＮｏの場合）表示部の表示位置は変更されない。レンズ操作表示部３のスライドが検出された場合（ステップＳ１２でＹｅｓの場合）スライドされたレンズ操作表示部３の表示位置をスライド量と方向にしたがって変更する（ステップＳ１３）。図１（ｂ）に示すようにレンズ情報表示部４を押しながらレンズ操作表示部３をスライドさせた時はレンズ操作表示部変更モードとなり、表示位置変更部１１４はレンズ操作表示部３のみを検出されたスライド量と方向へ移動させる制御を行う。
【００３７】
レンズ情報表示部４のタッチ状態が維持されていなかった（指が離れていた場合）場合（ステップＳ１１でＮｏの場合）レンズ情報表示部４の移動モードとなる（ステップＳ２１）。レンズ情報表示部４の移動モードの状態でレンズ情報表示部４がスライドされたかどうかを検出する（Ｓ２２）。レンズ情報表示部４のスライドが検出されなかった場合（ステップＳ２２でＮｏの場合）表示部の表示位置は変更されない。レンズ情報表示部４のスライドが検出された場合（ステップＳ２２でＹｅｓの場合）表示位置変更部１１４はレンズ情報表示部４のみを検出されたスライド量と方向へ移動させる制御を行う（ステップＳ２３）。図１（ｃ）に示すようにレンズ情報表示部４を一度タッチするとレンズ情報表示部移動モードに切り替わる。その際レンズ情報表示部４の表示をレンズ情報表示部移動モードに変更、点滅等してモードが切り替わったことを知らせる。その状態でレンズ情報表示部４を再度タッチし、スライドさせると表示位置変更部１１４はレンズ情報表示部４のみを検出されたスライド量と方向へ移動させる制御を行う。
【００３８】
電源がＯＦＦとなった場合（ステップＳ５でＹｅｓの場合）処理は終了する。電源ＯＦＦが検出されない場合（ステップＳ５でＹｅｓの場合）レンズ情報表示部４がタッチされたかどうかを検出するステップ（ステップＳ２）に戻る。
【００３９】
上記のようにレンズ鏡筒の外周部に周方向に沿ってタッチパネルを配置し、レンズ情報表示部を操作して表示部の表示位置を所定の位置に変更可能とした。そうすることで部品点数を増やすことなく、姿勢変更時に撮影者の保持状態が変わっても撮影者が操作しやすい位置に表示部を変更することができるため常に快適な操作性を保つことができる。
【００４０】
レンズ情報表示部４を操作しての表示位置変更方法の１例を上記で説明したが表示位置変更時のレンズ情報表示部４の操作方法は特に限定はされない。
【実施例２】
【００４１】
次に実施例２について説明する。実施例２ではカメラの姿勢を判別し、姿勢変更を検出時には表示部の表示位置が変更される。図６は、本実施例２の光学機器であるところのレンズ２００とカメラ本体２６０のカメラシステムの電気的構成を示す。実施例１と異なる部分のみを説明する。
【００４２】
２１４はレンズ２００に搭載され、プリント基板に接続された加速度センサである。加速度センサ２１４は、重力加速度を検出し重力加速度信号を姿勢判別部２１６に出力する。姿勢判別部２１６は重力加速度信号からカメラが正姿勢か縦姿勢なのかを判別する。姿勢変更を検出した時にはレンズ操作表示部２３、レンズ情報表示部２４の表示位置を自動的に変更させる。
【００４３】
図７、図８を用いて表示部の表示位置変更について説明する。
【００４４】
カメラ２６０の電源スイッチ２６３を押しカメラを起動させると姿勢判別部２１６はカメラの姿勢を判別する。例えばカメラが正姿勢であると判別した場合は図８に示すように表示位置変更部２１５はレンズ情報表示部２４を重力方向と反対側の上側へ移動させる制御を行う（ステップＳ１０１）。
【００４５】
次にレンズ情報表示部２４がタッチされたかどうかを検出する（ステップＳ１０２）。レンズ情報表示部２４のタッチが検出されなかった場合（ステップＳ１０２でＮｏの場合）カメラの姿勢が変更されたかを検出するステップに移る（ステップＳ１０５）。姿勢変更が検出されなかった場合（ステップＳ１０５でＮｏの場合）表示部の表示位置は変更されず電源がＯＦＦかどうか検出するステップに移る（ステップＳ１０７）。電源がＯＦＦされたことを検出した場合処理が終了する。電源ＯＦＦが検出されなかった場合はステップＳ１０２に戻る。カメラの姿勢変更が検出された場合（ステップＳ１０５でＹｅｓの場合）レンズ情報表示部の表示位置は変更される（ステップＳ１０６）。例えば縦姿勢にカメラの姿勢が変更された場合は図８（ｂ）に示すように表示位置変更部２１５はレンズ情報表示部２４を重力方向と反対側の上側へ移動させる制御を行う（正姿勢時から縦姿勢への角度変更と同じ９０度表示位置が変更される）。表示位置変更後は電源がＯＦＦかどうか検出するステップ（ステップＳ１０７）へ移るステップＳ１０７以降の処理は上述の通り。
【００４６】
レンズ情報表示部２４のタッチが検出された場合（ステップＳ１０２がＹｅｓの場合）表示部の位置変更モードとなり、レンズ情報表示部２４がスライドされたかどうかを検出する（ステップＳ１０３）。レンズ情報表示部がスライドされたことを検出した場合（ステップＳ１０３でＹｅｓの場合）表示位置変更部２１５はレンズ情報表示部２４とレンズ操作表示部２３を含む表示部全体を検出されたスライド量と方向へ移動させる制御を行う（ステップＳ１０４）。その後ステップＳ１０５に移る。ステップＳ１０５以降は上述の通り。
【００４７】
レンズ情報表示部２４のスライドを検出できなかった場合（ステップＳ１０３でＮｏの場合）レンズ情報表示部２４のタッチ状態が維持されているかを検出する（ステップＳ１１１）。レンズ情報表示部２４のタッチ状態が維持されている場合は（ステップＳ１１１でＹｅｓの場合）レンズ操作表示部２３がスライドされたかどうかを検出する（ステップＳ１１２）。レンズ操作表示部２３のスライドが検出されなかった場合（ステップＳ１１２でＮｏの場合）ステップＳ１０５へ移る。ステップＳ１０５以降は上述の通り。レンズ操作表示部２３のスライドが検出された場合（ステップＳ１１２でＹｅｓの場合）表示位置変更部２１５はレンズ操作表示部２３を検出されたスライド量と方向へ移動させる制御を行う（ステップＳ１１３）。
【００４８】
レンズ情報表示部２４のタッチ状態が維持されていなかった（指が離れていた場合）場合（ステップＳ１１１でＮｏの場合）レンズ情報表示部２４の移動モードとなる（ステップＳ１２１）。レンズ情報表示部２４の移動モードの状態でレンズ情報表示部２４がスライドされたかどうかを検出する（Ｓ１２２）。レンズ情報表示部２４のスライドが検出されなかった場合（ステップＳ１２２でＮｏの場合）ステップＳ１０５へ移る。ステップＳ１０５以降は上述の通り。レンズ情報表示部２４のスライドが検出された場合（ステップＳ１２２でＹｅｓの場合）表示位置変更部２１５はレンズ情報表示部２４を検出されたスライド量と方向へ移動させる制御を行う（ステップＳ１２３）。
【００４９】
電源がＯＦＦとなった場合（ステップＳ１３１でＹｅｓの場合）処理は終了する。電源ＯＦＦが検出されない場合（ステップＳ５でＹｅｓの場合）レンズ情報表示部４がタッチされたかどうかを検出するステップ（ステップＳ２）に戻る。
【００５０】
上記のようにレンズ鏡筒の外周部に周方向に沿ってタッチパネルを配置し、レンズ情報表示部を操作して表示部の表示位置を所定の位置に変更可能とした。また、姿勢判別部を設け姿勢変更時には表示部の表示位置を自動に変更させるようにした。したがって部品点数を増やすことなく、姿勢変更時に撮影者の保持状態が変わった時は自動的に撮影者が操作しやすい位置に表示部を変更することができるためより簡単に快適な操作性を保つことができる。
【符号の説明】
【００５１】
１  レンズ鏡筒、２  タッチパネル、３  レンズ操作表示部、
４  レンズ情報表示部、１００  レンズ、２１５  姿勢判別部
【図１】
2018194758.tif 000003
【図２】
2018194758.tif 000004
【図３】
2018194758.tif 000005
【図４】
2018194758.tif 000006
【図５】
2018194758.tif 000007
【図６】
2018194758.tif 000008
【図７】
2018194758.tif 000009
【図８】
2018194758.tif 000010